(57)【要約】      （修正有）【課題】操作が簡単で、ユーザが自宅で自ら検査を行うのに便利であり、膣および子宮頸疾患の早めの発見および治療の達成を確保する、膣および子宮頸のセルフチェック機器を提供する。【解決手段】膣拡張器２および撮像部１を含み、撮像部１が、膣拡張器２の拡張口の尾部に設置され、有線方式によって外部表示装置に接続された撮像部１が、筺体、カメラ、光源、電源、および制御回路基板を含み、無線方式によって外部表示装置に接続された撮像部１が、送信ユニットおよび受信ユニットも含み、カメラ、光源、電源、送信ユニット、および制御回路基板が、筺体内に設置され、カメラ、光源、および制御ユニットが、電源により給電され、カメラ、光源、送信ユニットが、制御回路基板と相互接続され、受信ユニットが、外部表示装置に設置されている。【選択図】図１
0003196378.tif 000002
【実用新案登録請求の範囲】
【請求項１】
膣および子宮頸のセルフチェック機器であって、膣拡張器および撮像部を含み、前記撮像部が、膣拡張器の拡張口の後端に設置され、かつ、外部表示装置に接続され、
有線方式によって外部表示装置に接続された撮像部が、筺体、カメラ、光源、電源、および制御回路基板を含み、カメラ、光源、電源、および制御回路基板がいずれも、筺体内に設置され、前記カメラ、光源、および制御回路基板が、電源と相互接続され、カメラおよび光源が、制御回路基板に接続され、前記カメラが、接続線および接続線上のインターフェイスを通じて外部表示装置に接続され、
または、無線方式によって外部表示装置に接続された撮像部が、筺体、カメラ、光源、電源、送信ユニット、受信ユニット、および制御回路基板を含み、カメラ、光源、電源、送信ユニット、および制御回路基板が、筺体内に設置され、前記カメラ、光源、制御回路基板が、電源と相互接続され、カメラ、光源、および送信ユニットがいずれも、制御回路基板と相互接続され、前記受信ユニットが、外部表示装置に設置されている、
ことを特徴とする、膣および子宮頸のセルフチェック機器。
【請求項２】
前記膣拡張器が、上側鴨嘴状片、外側取手片、下側鴨嘴状片、内側取手片、および拡張リセット構造を含み、前記外側取手片および上側鴨嘴状片が、１つの環状構造を通じて連なって一体構造をなし、前記下側鴨嘴状片および内側取手片が一体構造をなし、前記環状構造が、相互嵌合するスロットおよび留め具を通じて撮像部の筺体に接続され、前記上側鴨嘴状片の尾部および下側鴨嘴状片の尾部が、共にヒンジ接続され、前記外側取手片および内側取手片が、拡張リセット構造を通じて相互接続されることを特徴とする、請求項１に記載の膣および子宮頸のセルフチェック機器。
【請求項３】
前記拡張リセット構造が、ねじと、ねじに設置されたばねと、前記ねじに相互嵌合する内ナットおよび外ナットとを含み、前記内側取手片の内側が、ねじ設置柱を備え、前記ねじ設置柱に、ねじ山付き穴が形成されており、前記外側取手片が、長円穴を備え、前記ねじの一方端が、ねじ設置柱のねじ山付き穴内に設置され、他方端が、外側取手片の長円穴内から伸び出ており、外側取手片の外側におけるねじに、位置を限定する外ナットが装着されており、外側取手片の内側におけるねじに、内ナットが装着されており、当該ばねの一方端が、ねじ設置柱上を押圧し、他方端が、内ナットを押圧することを特徴とする、請求項２に記載の膣および子宮頸のセルフチェック機器。
【請求項４】
前記ねじの呼び直径が、長円穴の幅よりも小さく、前記内ナットの対向頂点の距離と、外ナットの対向頂点の距離とが、長円穴の幅よりも大きいことを特徴とする、請求項３に記載の膣および子宮頸のセルフチェック機器。
【請求項５】
前記外部表示装置が、モバイル電話、パネルコンピュータ、計算機ディスプレイ、テレビ受像機を包含することを特徴とする、請求項１に記載の膣および子宮頸のセルフチェック機器。
【請求項６】
前記撮像部の筺体に、カメラおよび光源を制御するスイッチが設けられていることを特徴とする、請求項１に記載の膣および子宮頸のセルフチェック機器。
【請求項７】
前記撮像部が、前後に貫通する内腔を備え、前記内腔が、サンプル採集器の挿入に供されることを特徴とする、請求項１に記載の膣および子宮頸のセルフチェック機器。
【請求項８】
前記サンプル採集器が、綿棒、ブラシ状サンプル採取棒であることを特徴とする、請求項７に記載の膣および子宮頸のセルフチェック機器。
【請求項９】
前記カメラの側壁に、突出するレンズ微調整つまみが備えられ、前記筺体に、微調整つまみ開放穴が形成されており、前記レンズ微調整つまみが、微調整つまみ開放穴内に位置付けられ、かつ、微調整つまみ開放穴内で移動することが可能であることを特徴とする、請求項１に記載の膣および子宮頸のセルフチェック機器。
【請求項１０】
前記カメラが、スリップキャップ内に設置され、前記スリップキャップが、摺動可能に筺体内に設置され、前記スリップキャップの側壁に凸状台が形成されており、前記筺体に、凸状台の伸び出しおよび往復移動のための開放穴が形成されていることを特徴とする、請求項１に記載の膣および子宮頸のセルフチェック機器。
【考案の詳細な説明】
【技術分野】
【０００１】
本実用新案は、膣および子宮頸部の検査測定装置に関し、具体的には、膣および子宮頸のセルフチェック機器に属する。
【背景技術】
【０００２】
現代社会において、女性は、特に婦人科疾患の方面で自分自身の健康を一段と重視するようになってきている。現在、子宮頸癌の発病率が次第に上昇しており、かつ、女性の健康の一大脅威となっている。伝統的思考の影響により、多くの女性は、軽微な不調が子宮頸に発現したときには往々にして充分に重く見ないことがあり得、重篤な不調が身体に発現して初めて、ようやく診察を受けることを思い立ち、このときにはほぼ、問題が既に極めて重大になっており、たとえば、子宮頸癌がもう末期に至って治癒がほとんど不可能になっている。現在、子宮頸の箇所の細胞に対するサンプル採取の実施は主として、医師が専門的に採集するかまたは患者が自宅で自ら採集することによるものであり、中でも病院での専門の医師による細胞採集の実施は、比較的煩わしく、時間および手間を要することに加え、多くの人が伝統的思考に囚われて実施を望まないことも生じ得、また、自宅での自らの採取は往々にして、サンプル細胞の正確な採集を行い得ず、試験結果の再現性を比較的低下させ、正しい組織細胞などを採集できないことさえも生じる。医学研究では、早期発見、早期介入を行ってこそ子宮頸部疾患の早期治療の達成が確保され得ると表明している。したがって、需要があり女性が自宅で使用するのに便利な子宮頸細胞を可視化する、サンプル採集器を設計および発明することは、セルフチェックだけでなく細胞サンプルの正しい採集も可能にし、女性にとっての子宮頸部疾患の予防は、重要な意義を有する。
【考案の概要】
【考案が解決しようとする課題】
【０００３】
本実用新案が解決しなければならない技術的課題は、操作が簡単であって、ユーザが自宅で自ら検査を行うのに便利であり、膣および子宮頸疾患の早めの発見および治療の達成を確保する、膣および子宮頸のセルフチェック機器を提供することである。
【課題を解決するための手段】
【０００４】
上述の技術的課題を解決するために、本実用新案は、膣および子宮頸のセルフチェック機器であって、膣拡張器および撮像部を含み、当該撮像部が、膣拡張器の拡張口の後端に設置され、当該撮像部が、有線方式または無線方式によって外部表示装置に接続された、膣および子宮頸のセルフチェック機器を提供する。
【０００５】
好ましい構造において、有線方式によって外部表示装置に接続された撮像部は、筺体、カメラ、光源、電源、および制御回路基板を含み、ここで、カメラ、光源、電源、および制御回路基板はいずれも、筺体内に設置され、当該カメラ、光源、および制御回路基板は、電源と相互接続され、カメラおよび光源は、制御回路基板に接続され、当該カメラは、接続線およびインターフェイスを通じて外部表示装置に接続される。
【０００６】
好ましい別の構造において、無線方式によって外部表示装置に接続された撮像部は、筺体、カメラ、光源、電源、送信ユニット、受信ユニット、および制御回路基板を含み、ここで、カメラ、光源、電源、送信ユニット、および制御回路基板は、筺体内に設置され、当該カメラ、光源、制御回路基板は、電源と相互接続され、カメラ、光源、および送信ユニットは全て、制御回路基板と相互接続され、当該受信ユニットは、外部表示装置上に設置される。
【０００７】
より好ましくは、当該膣拡張器は、上側鴨嘴状片、外側取手片、下側鴨嘴状片、内側取手片、および拡張リセット構造を含み、当該外側取手片および上側鴨嘴状片は、１つの環状構造を通じて連なって一体構造をなし、当該下側鴨嘴状片および内側取手片は一体構造をなし、当該環状構造は、留め具を通じて撮像部の筺体に接続され、当該上側鴨嘴状片の尾部および下側鴨嘴状片の尾部は、共にヒンジ接続され、当該外側取手片および内側取手片は、拡張リセット構造を通じて相互接続される。
【０００８】
さらに、当該拡張リセット構造は、ねじと、ねじに設置されたばねと、該ねじに相互嵌合する内ナットおよび外ナットとを含み、当該内側取手片の内側は、ねじ設置柱を備え、該ねじ設置柱には、ねじ山付き穴が形成されており、当該外側取手片は、長円穴を備え、当該ねじの一方端は、ねじ設置柱のねじ山付き穴内に設置され、他方端は、外側取手片の長円穴内から伸び出ており、外側取手片の外側におけるねじに、位置を限定する外ナットが装着されており、外側取手片の内側におけるねじに、内ナットが装着されており、当該ばねの一方端は、ねじ設置柱上を押圧し、他方端は、内ナット上を押圧する。
【０００９】
ここで、当該ねじの呼び直径は、長円穴の幅よりも小さく、当該内ナットの対向頂点の距離と、外ナットの対向頂点の距離とは、長円穴の幅よりも大きい。
【００１０】
さらに好ましくは、当該カメラの側壁に、突出するレンズ微調整つまみが備えられ、当該筺体に、微調整つまみ開放穴が形成されており、当該レンズ微調整つまみは、微調整つまみ開放穴内に位置付けられ、かつ、微調整つまみ開放穴内で移動することが可能である。または、当該カメラは、スリップキャップ内に設置され、当該スリップキャップは、摺動可能に筺体内に設置され、該スリップキャップの側壁に凸状台が形成されており、当該筺体上において、凸状台の伸び出しおよび往復移動をもたらす開放穴が形成されている。
【００１１】
前述の構造において、当該外部表示装置は、モバイル電話、パネルコンピュータ、計算機ディスプレイ、テレビ受像機を包含する。
【００１２】
これ以外に、当該撮像部の筺体に、カメラおよび光源を制御するスイッチが設けられている。
【００１３】
さらに好ましくは、当該撮像部は、前後に貫通する内腔を備え、当該内腔は、サンプル採集器の挿入をもたらし得る。ここで、サンプル採集器は、綿棒、ブラシ状サンプル採取棒である。
【考案の効果】
【００１４】
本実用新案の膣および子宮頸セルフチェック機器は、構造が簡素でコンパクトであり、実現が容易であり、使用が便利であって融通性を有し、（携帯電話、その他などの）モバイル電話、パネルコンピュータ、計算機ディスプレイ、テレビ受像機などの装置に接続されたカメラを通じて、ユーザは必要性に基づき、個人の子宮頸の状況を直ちに自ら点検することができ、ユーザに早めに問題を発見させ得る。加えて、ユーザは、カメラおよびサンプル採集器を通じて、子宮頸の箇所の、病変を生じた細胞に対して正確なサンプル採集を実施して、試験結果の再現性を高めることができる。
【図面の簡単な説明】
【００１５】
【図１】本実用新案の構造模式図である。
【図２】開いた状態を呈示する本実用新案の膣拡張器の模式図である。
【図３】閉じた状態を呈示する本実用新案の膣拡張器の模式図である。
【図４】撮像部の構造模式図である。
【図５】撮像部の別の一方向の模式図である。
【図６】本実用新案における、撮像部の、外部表示装置との有線接続の構造ブロック図である。
【図７】本実用新案における、撮像部の、外部表示装置との無線接続の構造ブロック図である。
【考案を実施するための形態】
【００１６】
ここで、添付の図面の記号の説明は以下の通りである。１は撮像部であり、１０は筺体であり、１０１は微調整つまみ開放穴であり、１１は留め具であり、１２はカメラであり、１２１はレンズ微調整つまみであり、１３は光源であり、１４は電源であり、１４１は充電器差込口であり、１５は制御回路基板であり、１６は送信ユニットであり、１７は受信ユニットであり、１８は内腔であり、１９はスイッチであり、２は膣拡張器であり、２１は上側鴨嘴状片であり、２２は下側鴨嘴状片であり、２３は外側取手片であり、２４は内側取手片であり、２５はスロットであり、２６はねじであり、２７はばねであり、２８は外ナットであり、２９は長円穴であり、３は外部表示装置である。
【００１７】
以下においては、添付の図面と、本実用新案に対する、実用新案を実施する具体的なモードとを組み合わせて、さらに詳細な説明を行う。
【００１８】
本実用新案が提供する膣および子宮頸セルフチェック機器は、図１が示すように、膣拡張器２および撮像部１を含み、当該撮像部１は、膣拡張器１の拡張口の後端に設置され、かつ、有線方式または無線方式によって外部表示装置３（携帯電話、パネルコンピュータ、計算機ディスプレイ、テレビ受像機、またはその他のモバイル視聴覚装置など）に接続され、以下に述べる実施例は、無線方式を例として説明を行う。
【００１９】
図４、図５、および図７が示すように、無線方式によって外部表示装置３に接続された撮像部１は、筺体１０、カメラ１２、光源１３、電源１４、送信ユニット１６、受信ユニット１７、および制御回路基板１５を含み、ここで、カメラ１２、光源１３、電源１４、送信ユニット１６、および制御回路基板１５は、筺体１０内に設置され、当該カメラ１２、光源１３、制御回路基板１５は、電源１４と相互接続され、カメラ１２、光源１３、および送信ユニット１６は全て、制御回路基板１５と相互接続され、当該受信ユニット１７は、外部表示装置３上に設置され、カメラ１２が採集した画像情報は、送信ユニット１６および受信ユニット１７を通じて外部表示装置３上に伝送される。該撮像部１は、現在広く使用されている医療用膣拡張器（該構造およびその変形製品は既存の製品であるため、必要以上に詳述しない）と取り合わせて使用され得る。
【００２０】
図２および図３が示すように、本実用新案の膣拡張器２は、上側鴨嘴状片２１、外側取手片２３、下側鴨嘴状片２２、内側取手片２４、および拡張リセット構造を含み、外側取手片２３および上側鴨嘴状片２１は、１つの環状構造を通じて連なって一体構造をなし、下側鴨嘴状片２２および内側取手片２４は、一体構造をなす。
【００２１】
膣拡張器２の環状構造内にスロット２５が形成されており、該スロット２５に対応して、撮像部１の筺体１０の前端には、図４が示すように留め具１１が形成されており、該留め具１１は、スロット２５内に嵌入して、撮像部１と膣拡張器２とが共に組み付けられるようにする。
【００２２】
上側鴨嘴状片２１の尾部および下側鴨嘴状片２２の尾部は、共にヒンジ接続され、外側取手片２３および内側取手片２４は、拡張リセット構造を通じて相互接続される。図３が示すように、該拡張リセット構造は、ねじ２６と、ねじ２６に設置されたばね２７と、該ねじ２６に相互嵌合する内ナット（図中図示せず）および外ナット２８とを含む。内側取手片２４の内側は、ねじ設置柱を備え、該ねじ設置柱に、ねじ山付き穴が形成されており、外側取手片２３は、長円穴２９を備える。ねじ２６の一方端は、ねじ設置柱のねじ山付き穴内に位置付けられ、他方端は、外側取手片２３の長円穴２９内から伸び出ている。外側取手片２３の外側におけるねじ２６に、位置を限定する外ナット２８が装着されており、外側取手片２３の内側におけるねじ２６に、内ナット（図中図示せず）が装着されており、ばね２７の一方端は、ねじ設置柱を押圧し、他方端は、内ナットを押圧する。ここで、ねじ２６の呼び直径は、長円穴２９の幅よりも小さく、内ナットの対向頂点の距離と外ナット２８の対向頂点の距離は、長円穴２９の幅よりも大きい。
【００２３】
図４、図５が示すように、撮像部１の筺体１０上にスイッチ１９が設けられており、該スイッチ１９は、カメラ１２および光源１３を制御するために、制御回路基板１５に接続される。それと同時に、該セルフチェック機器は、充電器差込口１４１も備え、電源１４によって便利に充電され得る。
【００２４】
これ以外に、異なるユーザの要求を満たすために、カメラ１２の側壁上には、突出するレンズ微調整つまみ１２１が備えられ、それと同時に、筺体１０上には、微調整つまみ開放穴１０１が形成されており、当該レンズ微調整つまみ１２１は、微調整つまみ開放穴１０１内に位置付けられ、かつ、微調整つまみ開放穴１０１内で移動することが可能である。ユーザがレンズ微調整つまみ１２１を押し動かし、当該レンズ微調整つまみ１２１を微調整つまみ開放穴１０１内において移動させると、該レンズ微調整つまみ１２１はカメラ１２を動かしながら前後移動し、さらに、焦点合わせを実現する。
【００２５】
当然ながら、カメラは、スリップキャップ内にも設置され得、当該スリップキャップは、筺体内に設置され、かつ、筺体内を摺動することができ、該スリップキャップの側壁上に凸状台が形成されており、当該筺体上において、凸状台の伸び出しおよび往復移動をもたらす開放穴が形成されている。ユーザが開放穴内において凸状台を押し動かして移動させると、スリップキャップは、カメラを前後移動するように動かし、焦点合わせを完了する。
【００２６】
撮像部１は、上述の無線伝送方式だけでなく、有線方式によっても、外部表示装置３に接続され得、このとき、送信ユニットおよび受信ユニットは必要ではなく、外部表示装置３と整合されたインターフェイスを備える１本の接続線のみを必要とし、そうすれば、画像の伝送を直ちに完了することができる。
【００２７】
上述の実施形態において、セルフチェック機器の撮像部１は、前後に貫通する内腔１８も備え得、当該内腔１８は、サンプル採集器（綿棒またはブラシ状サンプル採取棒）の挿入をもたらし得る。サンプル採集器は、内腔１８を通じて、かつ、開いた状態にある膣拡張器の開口から伸びて入り、疑わしい状況が発見されたときに、ユーザは、サンプル採集器を回転させて、関連部位（膣および／または子宮頸）の細胞を、綿棒の医療用綿球か、またはブラシ状サンプル採取棒のブラシヘッド上に収集することができ、ひき続き、特定の細胞收集管に入れて、医療機関に送付して試験分析を行うことができる。
【００２８】
本実用新案の膣および子宮頸セルフチェック機器は、構造が簡素であり、実現が容易であり、使用が便利であって、（携帯電話、その他などの）モバイル電話、パネルコンピュータ、計算機ディスプレイ、テレビ受像機などの装置と接続されたカメラを通じて、ユーザは、必要性に基づき、個人の膣および子宮頸の状況を直ちに自ら点検することができ、ユーザに早めに問題を発見させ得る。また、ユーザは、カメラおよびサンプル採集器を通じて、膣内または子宮頸の箇所の、病変を生じた細胞に対して正確なサンプル採集を実施して、試験結果の再現性を高めることができ、これ以外にも、サンプル採集器内に組み込まれた管理ソフトウェアを通じて、インターネットまたは無線装置を利用して、バックステージ管理システムの医療従事者に写真を送出すること、ならびに、医師とリアルタイムで通信して、医師のリアルタイムの指導および見解を受けることもできる。
【００２９】
以上において、本実用新案に対する具体的な実施形態を通じて詳細な説明を行ってきたが、当該実施形態は、ただ単に本実用新案の比較的好ましい実施形態であるに過ぎず、当該実施形態は、本実用新案を決して限定するものではない。本実用新案の原理から逸脱しない状況下で、カメラ、膣拡張器、およびサンプル採集器の構造、位置、および相互接続関係などに対して本分野の技術者が行った等価な置換および改良は全て、本実用新案が保護する技術範囲内にあるものと見なされるべきである。
【符号の説明】
【００３０】
１  撮像部、２  膣拡張器、３  外部表示装置、１０  筺体、１１  留め具、１２  カメラ、１３  光源、１４  電源、１５  制御回路基板、１６  送信ユニット、１７  受信ユニット、１８  内腔、１９  スイッチ、２１  上側鴨嘴状片、２２  下側鴨嘴状片、２３  外側取手片、２４  内側取手片、２５  スロット、２６  ねじ、２７  ばね、２８  外ナット、２９  長円穴、１０１  微調整つまみ開放穴、１２１  レンズ微調整つまみ、１４１  充電器差込口。
【図１】
0003196378.tif 000003
【図２】
0003196378.tif 000004
【図３】
0003196378.tif 000005
【図４】
0003196378.tif 000006
【図５】
0003196378.tif 000007
【図６】
0003196378.tif 000008
【図７】
0003196378.tif 000009